(57)【要約】【課題】集電端子と他部材との干渉が生じにくい電池を提供する。【解決手段】ここで開示される電池１０は、捲回電極体３０と、電池ケース２０と、絶縁フィルム３８と、集電端子４０と、外部端子７０と、を備える。捲回電極体３０は、捲回軸方向の端部に集電箔が積層された集電箔積層部３３を有する。集電端子４０は、外部端子７０と電気的に接続されている外部端子接続部４１と、集電箔積層部３３に接合されている平坦部４４と、平坦部４４から延びる延在部４５と、を含む。延在部４５は、断面視において、平坦部４４とのなす角が１７０度以上１７６度以下となるように捲回電極体３０から離れる方向に曲げられ、かつ、絶縁フィルム３８と対向する側の面の末端部に、アール部４５Ｒを有している。【選択図】図２
2020095872.tif 000002
【特許請求の範囲】
【請求項１】
集電箔と前記集電箔上に形成された合剤層とを有する電極を備えた捲回電極体と、
端子引出孔を有し、前記捲回電極体を収容する電池ケースと、
前記電池ケースの内壁と前記捲回電極体との間に配置され、前記電池ケースと前記捲回電極体とを隔離する絶縁フィルムと、
前記電池ケースの内部で前記電極と電気的に接続され、かつ、前記端子引出孔を挿通して前記電池ケースの外部に引き出されている集電端子と、
前記電池ケースの外部に配置され、前記集電端子と電気的に接続されている外部端子と、を備える電池であって、
前記捲回電極体は、捲回軸方向の端部に前記集電箔が積層された集電箔積層部を有し、
前記集電端子は、
前記外部端子と電気的に接続されている外部端子接続部と、
前記外部端子接続部から延び、前記集電箔積層部に接合されている平坦部と、
前記平坦部から延びる延在部と、を含み、
前記延在部は、断面視において、前記平坦部とのなす角が１７０度以上１７６度以下となるように前記捲回電極体から離れる方向に曲げられ、かつ、前記絶縁フィルムと対向する側の面の末端部に、アール部を有している、
電池。
【発明の詳細な説明】
【技術分野】
【０００１】
本発明は、電池に関する。
【背景技術】
【０００２】
特許文献１には、一対の電極（正極および負極）を有する捲回電極体と、上記捲回電極体を収容する電池ケースと、上記電池ケースの内壁と上記捲回電極体との間に配置され、上記電池ケースと上記捲回電極体とを隔離する絶縁フィルムと、上記電池ケースの内部で上記電極と電気的に接続されている集電端子と、を備えた電池が開示されている。各電極は、数μｍ〜数十μｍ程度の厚みの集電箔と、上記集電箔の上に形成され、活物質を含んだ合剤層と、を備えている。特許文献１では、集電箔の捲回軸方向の端部に平板状の集電端子が溶接接合され、上記電極と上記集電端子とが電気的に接続されている。なお、その他の従来技術として特許文献２〜４が挙げられる。
【先行技術文献】
【特許文献】
【０００３】
【特許文献１】特開２０１５−０４１５８９号公報
【特許文献２】特開２０１３−０９３１６０号公報
【特許文献３】特開２００７−２９９５３６号公報
【特許文献４】特開２００７−１３４９５７号公報
【発明の概要】
【発明が解決しようとする課題】
【０００４】
ところで、電池の使用時には、外部から電池に対して振動や衝撃等が加わり得る。これにより、電池の内部では、例えば上記溶接接合された部分を支点として、捲回電極体が揺動することがある。その結果、集電端子の下端部が捲回電極体と干渉して、集電箔が傷つく虞がある。また、捲回電極体との干渉を回避しようとして、集電端子の下端部を捲回電極体から離れる方向に垂直に折り曲げたりすると、例えば電極体を電池ケースに収容する際に、集電端子の下端部が絶縁フィルムと干渉して、絶縁フィルムが傷つく虞がある。
【０００５】
本発明は、上記事情に鑑みてなされたものであり、集電端子と他部材との干渉が生じにくい電池を提供することを目的とする。
【課題を解決するための手段】
【０００６】
本発明により、集電箔と前記集電箔上に形成された合剤層とを有する電極を備えた捲回電極体と、端子引出孔を有し、前記捲回電極体を収容する電池ケースと、前記電池ケースの内壁と前記捲回電極体との間に配置され、前記電池ケースと前記捲回電極体とを隔離する絶縁フィルムと、前記電池ケースの内部で前記電極と電気的に接続され、かつ、前記端子引出孔を挿通して前記電池ケースの外部に引き出されている集電端子と、前記電池ケースの外部に配置され、前記集電端子と電気的に接続されている外部端子と、を備える電池が提供される。前記捲回電極体は、捲回軸方向の端部に前記集電箔が積層された集電箔積層部を有する。前記集電端子は、前記外部端子と電気的に接続されている外部端子接続部と、前記外部端子接続部から延び、前記集電箔積層部に接合されている平坦部と、前記平坦部から延びる延在部と、を含む。前記延在部は、断面視において、前記平坦部とのなす角が１７０度以上１７６度以下となるように前記捲回電極体から離れる方向に曲げられ、かつ、前記絶縁フィルムと対向する側の面の末端部に、アール部を有している。
【０００７】
本発明では、集電端子の延在部が、捲回電極体から離れる方向に所定の角度で曲げられている。これにより、電池に対して振動や衝撃等が加わったときにも、集電端子の延在部と捲回電極体とが干渉しにくくなる。したがって、集電箔の損傷を抑制することができる。また、本発明では、集電端子の延在部が、絶縁フィルムと対向する側の面の末端部にアール部を有している。これにより、集電端子の延在部と絶縁フィルムとが干渉しにくくなる。したがって、例えば電池製造時の電池ケースへの挿入性を向上して、絶縁フィルムの損傷を抑制することができる。
【図面の簡単な説明】
【０００８】
【図１】一実施形態に係る電池を模式的に示す一部破断図である。
【図２】図１のII−II線断面図である。
【図３】一実施形態に係る捲回電極体を模式的に示す分解斜視図である。
【図４】負極集電端子の延在部の近傍を模式的に示す部分拡大図である。
【発明を実施するための形態】
【０００９】
以下、図面を参照しながら、ここで提案される電池の一実施形態について説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１０】
なお、本明細書において「電池」とは、電気エネルギーを取り出し可能な蓄電デバイス全般を指す用語であって、一次電池と二次電池とを包含する概念である。また、「二次電池」とは、繰り返し充放電が可能な蓄電デバイス全般を指す用語であって、リチウムイオン二次電池やニッケル水素電池等のいわゆる蓄電池（いわゆる化学電池）と、電気二重層キャパシタ等のキャパシタ（いわゆる物理電池）と、を包含する概念である。
【００１１】
図１は、電池１０の一部破断図である。図２は、図１のII−II線断面図である。なお、以下の説明において、図面中の符号Ｆ，Ｒｒ、Ｌ、Ｒ、Ｕ、Ｄは、それぞれ、前、後、左、右、上、下を表し、図面中の符号Ｘ、Ｙ、Ｚは、それぞれ、前後方向、左右方向、上下方向を表すものとする。ただし、これは説明の便宜上の方向に過ぎず、電池１０の設置形態を何ら限定するものではない。
【００１２】
本実施形態に係る電池１０は、リチウムイオン二次電池である。電池１０は、電池ケース２０と、捲回電極体３０と、図示しない電解質と、絶縁フィルム３８と、負極集電端子４０と、負極外部端子７０と、正極集電端子８０と、正極外部端子９０と、を備えている。負極集電端子４０と負極外部端子７０とは電気的に接続され、負極端子を構成している。本実施形態において、負極集電端子４０は集電端子の一例であり、負極外部端子７０は外部端子の一例である。また、正極集電端子８０と正極外部端子９０とは電気的に接続され、正極端子を構成している。
【００１３】
電池ケース２０は、扁平かつ有底の直方体形状に形成されている。電池ケース２０は、上方に向かって開口された開口部２１Ａを有する電池ケース本体２１と、開口部２１Ａを塞ぐ蓋体２２と、を備えている。電池ケース本体２１の外形は、有底四角筒状である。電池ケース本体２１は、底面２１Ｂと、一対の幅広面２１Ｗと、一対の幅広面２１Ｗの間に介在する一対の幅狭面２１Ｎと、を有している。底面２１Ｂは、開口部２１Ａと対向している。一対の幅広面２１Ｗは、底面２１Ｂの前端および後端からそれぞれ上方に延びている。一対の幅広面２１Ｗは、前後方向Ｘに沿って略平行に配置されている。一対の幅狭面２１Ｎは、底面２１Ｂの左端および右端からそれぞれ上方に延びている。一対の幅狭面２１Ｎは、左右方向Ｙに沿って略平行に配置されている。蓋体２２の外形は、開口部２１Ａの形状に適合する略長方形状である。蓋体２２は、電池ケース本体２１の開口部２１Ａに嵌め込まれている。蓋体２２の外縁と、電池ケース本体２１の開口部２１Ａの周縁との合わせ目２５は、レーザー溶接されている。蓋体２２は電池ケース本体２１に固定されている。電池ケース２０は密閉されている。
【００１４】
電池ケース２０（具体的には、電池ケース本体２１および蓋体２２）の材質は、従来から使用されているものと同じでよく、特に制限はない。放熱性等の観点から、電池ケース２０は、軽量で熱伝導性の良い金属材料、例えば、アルミニウムやステンレス鋼（ＳＵＳ）で構成されていてもよい。蓋体２２の左右方向Ｙの両端部分には、それぞれ、負極用の端子引出孔（貫通孔）Ｈ１と正極用の端子引出孔（貫通孔）Ｈ２とが設けられている。また、蓋体２２には負極外部端子７０と正極外部端子９０とが取り付けられている。
【００１５】
図３は、捲回電極体３０を模式的に示す分解斜視図である。捲回電極体３０は、電池ケース２０の内部、すなわち、電池ケース本体２１と蓋体２２とで囲まれた空間に収容されている。捲回電極体３０を構成する材料および部材は、従来と同様でよく、特に制限はない。捲回電極体３０は、帯状の負極シート３２と帯状の正極シート３４とが、セパレータシート３６を介して重ねられ、捲回軸Ｗ周りに捲回されて構成されている。なお、本実施形態において、捲回軸Ｗ方向は左右方向Ｙに一致する。セパレータシート３６は、例えば、ポリエチレン、ポリプロピレン等の多孔質樹脂シートである。
【００１６】
負極シート３２は、帯状の負極集電箔３２Ａと、負極集電箔３２Ａ上に固着された負極合剤層３２Ｂと、を有する。負極集電箔３２Ａは、例えば銅や銅合金、ニッケルなどの導電性金属からなる。負極集電箔３２Ａは、例えば銅箔である。負極合剤層３２Ｂは、負極活物質（例えば黒鉛等の炭素材料）を含んでいる。負極合剤層３２Ｂは、帯状の負極集電箔３２Ａの一方の長辺に沿って、負極集電箔３２Ａよりも短い幅で、帯状に形成されている。捲回電極体３０の捲回軸Ｗ方向の一端部（図３の右端部）では、負極シート３２の負極集電箔３２Ａが正極シート３４よりも右方に延出している。捲回電極体３０の右端部には、右方に延出した負極集電箔３２Ａが捲回によって何層にも重ねられた負極集電箔積層部３３が配置されている。本実施形態において、負極シート３２は電極の一例であり、負極集電箔積層部３３は集電箔積層部の一例である。
【００１７】
正極シート３４は、帯状の正極集電箔３４Ａと、正極集電箔３４Ａ上に固着された正極合剤層３４Ｂと、を有する。正極集電箔３４Ａは、例えばアルミニウムなどの導電性金属からなる。正極集電箔３４Ａは、例えばアルミニウム箔である。正極合剤層３４Ｂは、正極活物質（例えばリチウム遷移金属複合酸化物）を含んでいる。正極合剤層３４Ｂは、帯状の正極集電箔３４Ａの一方の長辺に沿って、正極集電箔３４Ａよりも短い幅で、帯状に形成されている。捲回電極体３０の捲回軸Ｗ方向の一端部（図３の左端部）では、正極シート３４の正極集電箔３４Ａが、負極シート３２よりも左方に延出している。捲回電極体３０の左端部には、左方に延出した正極集電箔３４Ａが捲回によって何層にも重ねられた正極集電箔積層部３５が形成されている。
【００１８】
図２に示すように、左右方向Ｙからみて、負極集電箔積層部３３は、捲回電極体３０の捲回軸Ｗ方向に直交する積層方向（図２の前後方向Ｘ）に寄せ集められ、押し潰されて圧縮された薄肉部３３Ｍと、薄肉部３３Ｍよりも相対的に厚肉な厚肉部３３Ｅと、を有している。薄肉部３３Ｍは、上下方向Ｚにおいて、２つの厚肉部３３Ｅに挟まれている。薄肉部３３Ｍは、捲回電極体３０を上下方向Ｚに３等分したときに、中央部分Ｍに形成されている。これにより、負極集電箔３２Ａに破れ等が生じ難くなり、負極端子構造の耐久性を高めることができる。本実施形態では、上下方向において、薄肉部３３Ｍの長さが、後述する負極集電端子４０の第２リード部４４の長さと延在部４５の長さとの合計長さよりも長い。特に限定されるものではないが、薄肉部３３Ｍの平均厚み（前後方向Ｘの平均長さ）ｔ１は、概ね０．２〜２ｍｍ、例えば０．５〜０．７ｍｍであってもよい。厚肉部３３Ｅの最大厚み（前後方向Ｘの最大長さ）ｔ２は、ｔ１よりも大きく、概ね３〜３０ｍｍ、例えば８〜１２ｍｍであってもよい。薄肉部３３Ｍの一方の面（図２の前方の面）には、負極集電端子４０が接合されている。
【００１９】
電解質は、従来と同様でよく、特に制限はない。電解質は、例えば、非水系溶媒と支持塩とを含有する非水系の液状電解質（非水電解液）である。非水水溶媒は、例えば、エチレンカーボネート、ジメチルカーボネート、エチルメチルカーボネート等のカーボネートである。支持塩は、例えば、ＬｉＰＦ６等のフッ素含有リチウム塩である。
【００２０】
絶縁フィルム３８は、電池ケース本体２１の内壁と捲回電極体３０との間に配置されている。絶縁フィルム３８は、電池ケース本体２１と捲回電極体３０とを隔離するためのものである。絶縁フィルム３８は、扁平かつ有底の袋状に形成されている。絶縁フィルム３８は、上方に向かって開口された上端開口を有している。捲回電極体３０は、絶縁フィルム３８の上端開口からその内部に収容されている。絶縁フィルム３８は、捲回電極体３０の下方および前後左右を囲んでいる。絶縁フィルム３８の材質は、従来と同様でよく、特に制限はない。絶縁フィルム３８は、例えば、ポリエチレン、ポリプロピレン等の樹脂材料からなるフィルムである。絶縁フィルム３８は、内部に捲回電極体３０を保持した状態で電池ケース本体２１に収容されている。
【００２１】
負極集電端子４０は、主として電池ケース２０の内部に位置する。負極集電端子４０は、電池ケース２０の内部で負極集電箔積層部３３と電気的に接続されている。負極集電端子４０は、負極用の端子引出孔Ｈ１を挿通して、電池ケース２０の内部から外部へと引き出されている。負極集電端子４０は、樹脂製のガスケット５０とインシュレータ６０とを介して絶縁された状態で、蓋体２２に固定されている。負極集電端子４０は、電池ケース２０の外部で、外部接続用の負極外部端子７０と電気的に接続されている。負極集電端子４０は、負極集電箔積層部３３と負極外部端子７０とを電気的に接続する導通経路を構成している。負極集電端子４０は、例えば銅や銅合金、ニッケルなどの導電性金属からなる。負極集電端子４０の材質は、負極集電箔３２Ａと同じであってもよい。負極集電端子４０は、正極集電端子８０よりもヤング率が大きく、剛性が高い材料で構成されていてもよい。負極集電端子４０は、例えば折り曲げ加工などによって１枚の金属板から形成されていてもよく、複数の金属部材を組み合わせて一体化することによって形成されていていてもよい。
【００２２】
図１、図２に示すように、負極集電端子４０は、台座部４１と、第１リード部４２と、クランク部４３と、第２リード部４４と、延在部４５と、を有する。本実施形態では、１枚の金属板をプレス抜き加工することにより、少なくとも第１リード部４２とクランク部４３と第２リード部４４と延在部４５とが、一体にプレス抜きされている。特に限定されるものではないが、金属板の平均厚みｔｍ（図示せず）は、概ね１ｍｍ以下、典型的には０．５〜１ｍｍ、例えば０．６ｍｍであってもよい。本実施形態において、第１リード部４２と第２リード部４４とクランク部４３と延在部４５とは、上記金属板と同じ平均厚みｔｍを有する。
【００２３】
台座部４１は、蓋体２２の内側の面に沿って配置されている。台座部４１は、端子引出孔Ｈ１の外形よりも外周側に大きく広がった矩形平板状である。台座部４１の上面は、ガスケット５０を介して蓋体２２に対向している。台座部４１の上面にはリベット部４１Ｒが設けられている。リベット部４１Ｒは、蓋体２２の上方に突出している。リベット部４１Ｒは、電池ケース２０の端子引出孔Ｈ１に挿通されている軸部と、かしめ加工によって押し広げられ、蓋体２２にかしめられている鋲部と、を有している。台座部４１は、かしめ加工によって、負極外部端子７０と接合（締結）されている。これにより、負極集電端子４０が負極外部端子７０と電気的に接続されている。本実施形態において、台座部４１は、外部端子接続部の一例である。
【００２４】
第１リード部４２は、台座部４１の下端に連結している。第１リード部４２は、台座部４１の前端から略直角に屈曲し、下方に延びている。第１リード部４２は、電池ケース本体２１の幅広面２１Ｗに沿って延びている。第１リード部４２は、底面２１Ｂに向かって延びている。第１リード部４２は、蓋体２２に対して略垂直に延びている。第１リード部４２は、均一な厚みを有する平板状である。クランク部４３は、第１リード部４２の下端から図２の後方に向かってクランク状に屈曲し、下方に延びている。クランク部４３は、負極集電箔積層部３３の外形に沿うように、第１リード部４２の下端から曲げられている。クランク部４３は、第１リード部４２の下端と第２リード部４４の上端とを連結している。
【００２５】
第２リード部４４は、クランク部４３の下端に連結している。第２リード部４４は、電池ケース本体２１の幅広面２１Ｗに沿って、下方に延びている。第２リード部４４は、底面２１Ｂに向かって延びている。第２リード部４４は、蓋体２２に対して略垂直に延びている。第２リード部４４は、均一な厚みを有する平板状である。第２リード部４４の一方の側面（図２の後方の面）は、捲回電極体３０に対向している。詳しくは、負極集電箔積層部３３の薄肉部３３Ｍに対向している。第２リード部４４の捲回電極体３０に対向する側の面には、負極集電箔積層部３３の薄肉部３３Ｍが溶接接合され、ナゲットＮが形成されている。ナゲットＮの形成には、例えば、抵抗溶接が用いられる。これにより、負極集電端子４０が、ナゲットＮを介して負極集電箔積層部３３と電気的に接続されている。本実施形態において、第２リード部４４は、平坦部の一例である。
【００２６】
図４は、延在部４５の近傍を模式的に示す部分拡大図である。延在部４５は、第２リード部４４の下端に連結している。延在部４５の一方の側面（図２の後方の面）は、負極集電箔積層部３３の薄肉部３３Ｍに対向している。延在部４５の他方の側面（図２の前方の面）は、絶縁フィルム３８に対向している。延在部４５には、負極集電箔積層部３３が溶接接合されていない。断面視において、延在部４５は、第２リード部４４とのなす角（曲げ角度）θが１７０度以上１７６度以下となるように、曲げ起点Ｂから曲げられている。延在部４５は、捲回電極体３０から離れる方向（図４の前方かつ下方）に反っている。延在部４５は、絶縁フィルム３８に近づく方向（図４の前方）に延びている。延在部４５の先端（例えば末端４５Ｅ）は、外を向いている。特に限定されるものではないが、上下方向Ｚにおいて、延在部４５の垂直長さは、概ね１ｍｍ以下、例えば０．５〜１ｍｍであってもよい。
【００２７】
前後方向Ｘにおいて延在部４５の末端４５Ｅから負極集電箔積層部３３の薄肉部３３Ｍまでの間隔（隙間）ｄｘは、厚肉部３３Ｅの最大厚みｔ２から薄肉部３３Ｍの平均厚みｔ１を引いた差分（ｔ２−ｔ１）／２よりも小さいとよい。この値であれば、延在部４５を曲げても、左右方向Ｙからみて延在部４５が厚肉部３３Ｅから飛び出すことが抑えられる。このため、延在部４５と絶縁フィルム３８とが、より接触しにくくなる。特に限定されるものではないが、間隔ｄｘは、概ね１ｍｍ以下、典型的には０．５ｍｍ以下、例えば０．２５〜０．５ｍｍであってもよい。間隔ｄｘは、第２リード部４４の平均厚みｔｍよりも小さく、例えば、第２リード部４４の平均厚みｔｍに対して０．４〜０．９倍であってもよい。
【００２８】
延在部４５は、絶縁フィルム３８と対向する側の面の末端部（図４の下端部）に、アール部４５Ｒを有している。言い換えれば、延在部４５は、捲回電極体３０に対向する側とは反対側の面の末端部に、アール部４５Ｒを有している。アール部４５Ｒは、絶縁フィルム３８と対向する側の面に尖ったエッジが形成されないように、丸みを帯びている。アール部４５Ｒは、垂れ下がるように湾曲して（ダレて）いる。アール部４５Ｒの形成には、例えば、プレス抜き加工が用いられる。特に限定されるものではないが、アール部４５Ｒの曲率半径は、概ね０．１〜０．３ｍｍ、例えば０．１５〜０．２ｍｍであってもよい。特に限定されるものではないが、アール部４５Ｒの末端４５Ｄから延在部４５の末端４５Ｅまでの長さｄｚは、概ね０．５ｍｍ以下、例えば０．１〜０．２ｍｍであってもよい。
【００２９】
負極外部端子７０は、電池ケース２０の外部に配置されている。負極外部端子７０は、Ｚ状金具７２と端子ボルト７６とを有する。Ｚ状金具７２と端子ボルト７６とは、図示しない固定用ナットを締め付けることによって連結されている。Ｚ状金具７２は、かしめ加工によって負極集電端子４０と電気的に接続されている。端子ボルト７６は、上方に向かって突出している。端子ボルト７６は、外部接続用の接続端子であり、例えば複数の電池１０を組み合わせて組電池を構成する際にはバスバーが取り付けられる部位である。
【００３０】
正極集電端子８０は、主として電池ケース２０の内部に位置する。正極集電端子８０は、電池ケース２０の内部で正極集電箔積層部３５と電気的に接続されている。正極集電端子８０は、正極用の端子引出孔Ｈ２を挿通して、電池ケース２０の内部から外部へと引き出されている。正極集電端子８０は、樹脂製のガスケット５０とインシュレータ６０とを介して絶縁された状態で、蓋体２２に固定されている。正極集電端子８０は、電池ケース２０の外部で、外部接続用の正極外部端子９０と電気的に接続されている。正極集電端子８０は、正極集電箔積層部３５と正極外部端子９０とを電気的に接続する導通経路を構成している。正極集電端子８０は、例えば、アルミニウム、ニッケルなどの導電性金属からなる。負極集電端子４０の材質は、負極集電箔３２Ａと同じであってもよい。なお、正極端子の構造は、特に制限されない。正極端子の構造は、例えば集電箔や集電端子の材質（金属種）が異なること以外、上述した負極端子の構造と同じであってもよい。
【００３１】
以上の通り、電池１０では、少なくとも剛性の高い集電端子（負極集電端子４０）について、延在部４５が捲回電極体３０から離れる方向に所定の角度で曲げられている。これにより、電池１０に対して振動や衝撃等が加わったときにも、延在部４５と捲回電極体３０とが干渉しにくくなる。したがって、負極集電箔３２Ａの損傷を抑制することができる。また、電池１０では、延在部４５の絶縁フィルム３８と対向する側の面の末端部に、アール部４５Ｒを有している。これにより、延在部４５と絶縁フィルム３８とが干渉しにくくなる。したがって、例えば電池製造時の電池ケース本体２１への挿入性を向上して、絶縁フィルム３８の損傷を抑制することができる。
【００３２】
以下、本発明に関する実施例につき説明するが、本発明をかかる具体例に示すものに限定することを意図したものではない。
【００３３】
本発明者らは、上記作用効果を試験的に評価した。具体的には、まず、表１に示すような延在部を有する銅製の負極集電端子が取り付けられた捲回電極体（実施例１，２）を用意した。また、比較例１として、延在部を有しない銅製の負極集電端子を用いた捲回電極体を用意した。また、比較例２として、捲回電極体と対向する側の面の末端部、言い換えれば、実施例１，２とは逆側の側面にアール部を備えること以外は実施例１と同じ負極集電端子を用いた捲回電極体を用意した。次に、各捲回電極体を用いて、電池を構築した。そして、（１）電池製造時の電池ケースへの挿入性と、（２）電池に振動試験機を用いて少しずつ大きな振動を加えていったときの負極集電端子と捲回電極体との緩衝について評価した。
【００３４】
【表１】
2020095872.tif 000003
【００３５】
上記評価の結果、実施例１，２では、比較例２に比べて電池ケース本体への挿入性が向上していた。また、実施例１，２では、従来の負極集電端子を用いた比較例１に比べて、電池により大きな振動が加わった場合にも延在部と捲回電極体とが干渉しにくかった。以上の結果は、ここに開示される技術の意義を示すものである。
【００３６】
以上、本発明を好適な実施形態により説明したが、こうした記述は限定事項ではなく、もちろん種々の改変が可能である。
【符号の説明】
【００３７】
１０    リチウムイオン二次電池
２０    電池ケース
３０    捲回電極体
３３    負極集電箔積層部（集電箔積層部）
４０    負極集電端子（集電端子）
４１    台座部（外部端子接続部）
４４    第２リード部（平坦部）
４５    延在部
４５Ｒ  アール部
７０    負極外部端子（外部端子）
【図１】
2020095872.tif 000004
【図２】
2020095872.tif 000005
【図３】
2020095872.tif 000006
【図４】
2020095872.tif 000007